(57)【特許請求の範囲】
【請求項１】
基部から２本の柱部が互いに接近するように傾斜して立設され、この２本の柱部の結合部から頂部が突設されている塔状構造物の施工方法であり、２本の柱部の型枠を備え２本の柱部に掛け渡されるクライミング構台の両端部にタワークレーンをマストを継ぎ足していない状態で設置し、このタワークレーンによる資材の搬入とクライミング構台による型枠の上昇を順次繰り返して２本の柱部を施工し、２本の柱部の合体後は、タワークレーンにマストを継ぎ足しながら総足場工法で頂部を施工し、あるいは前記クライミング構台と型枠を利用して頂部を施工することを特徴とする塔状構造物の施工方法。
【請求項２】
請求項１に記載の施工方法において、クライミング構台の両端部における下面には既設の塔体に反力をとってクライミング構台を押し上げる押し上げ式クライミング装置が設けられ、このクライミング構台の上に型枠と足場が横移動可能に設けられていることを特徴とする塔状構造物の施工方法。
【発明の詳細な説明】
【０００１】
【発明の属する技術分野】
本発明は、斜張橋の主塔などの逆Ｙ字型の塔状構造物の施工方法に関するものである。
【０００２】
【従来の技術】
斜張橋の逆Ｙ字型の主塔を施工する場合、従来は、図６に示すように、主として所謂クライミングフォーム５０とタワークレーン５１を使用していた。逆Ｙ字型の主塔１は、主桁を挟んで左右一対の主塔基部２，２と、この主塔基部２，２から互いに接近するように傾斜して立設される２本の柱部３ａ，３ａからなる主塔中央部３と、２本の柱部３ａ，３ａが合体する主塔結合部４と、この主塔結合部４から上方に突出する主塔頂部５等から構成され、次に示す手順で施工されていた。
【０００３】
(1) 主塔基部２を地上のクレーンと総足場工法で施工する。
(2) クライミングフォーム５０とタワークレーン５１を組立て、クライミングフォーム５０をクライミング装置により順次上昇させ、柱部３ａの各ロットを順次施工していく。タワークレーン５１は、クライミング装置（センターホールジャッキや高強度ねじ鉄筋など）を取付けるための先行埋め込み鉄骨や主筋などを搬入するためのものであり、柱部３ａの伸長に伴い、下部に単位マストを順次継ぎ足して伸長させる。このマスト部分５１ａは、既設の柱部３ａにステー（壁繋ぎ）５２で支持させる。また、既設の柱部３ａ，３ａを水平のストラット５３で繋いでいる。
(3) 主塔中央部３の施工が完了すると、クライミングフォーム５０を解体し、ブラケット５４を中央部３の上部に取付け、総足場工法で主塔結合部４を施工し、続いて総足場工法で主塔頂部５の各ロットを順次施工していく。
【０００４】
【発明が解決しようとする課題】
しかし、前述のような従来の施工方法では、タワークレーンを主塔に沿って伸長させていくため、ステーが上方にいくに従って長大なものとなり、主塔構築に伴う設備費が増大するなどの問題点があった。
【０００５】
本発明は、このような問題点を解消すべくなされたもので、その目的は、逆Ｙ字型の塔状構造物の施工に際し、塔の中間部でタワークレーンのステーを無くすことができ、塔構築に伴う設備費の低減を図れる塔状構造物の施工方法を提供することにある。
【０００６】
【課題を解決するための手段】
本発明の請求項１は、基部から２本の柱部が互いに接近するように傾斜して立設され、この２本の柱部の結合部から頂部が突設されている塔状構造物の施工方法であり、２本の柱部の型枠を備え２本の柱部に掛け渡されるクライミング構台の両端部にタワークレーンをマストを継ぎ足していない最小の状態で設置し、このタワークレーンによる資材の搬入とクライミング構台による型枠の上昇を順次繰り返して２本の柱部を施工し、２本の柱部の合体後は、タワークレーンにマストを継ぎ足しながら、総足場工法あるいは型枠により頂部を施工することを特徴とする塔状構造物の施工方法である。
【０００７】
本発明の請求項２は、請求項１に記載の施工方法において、クライミング構台の両端部における下面には既設の塔体に反力をとってクライミング構台を押し上げる押し上げ式クライミング装置が設けられ、このクライミング構台の上に型枠と足場が横移動可能に設けられていることを特徴とする塔状構造物の施工方法である。
【０００８】
本発明は、例えば斜張橋の逆Ｙ字型の主塔の施工に有効に適用されるものである。クライミング構台は、上に向かって狭まる２本の柱部の最大幅すなわち基部を取り囲むことのできる大きさで平面視で長方形のトラス桁などから構成され、クライミング装置を介して２本の柱部に取付けられ、クライミング装置により上昇する。
【０００９】
クライミング装置は、例えば押し上げビーム等の押し上げ部材と押し上げジャッキ等の押し上げ装置などからなる押し上げ式クライミング装置であり、既設の２本の柱部等の塔体に反力をとってクライミング構台を押し上げる。また、２本の柱部の傾斜に対応できるように、押し上げ部材が横押しジャッキ等の横押し装置を介して塔幅方向に横移動可能にクライミング構台の下面に接続されている。型枠と足場は、例えばクライミング構台の上面を塔幅方向に移動可能な台車などに載置され、横押しジャッキ等の横押し装置により横移動し、２本の柱部の傾斜に対応できるようにされている。
【００１０】
基部を総足場工法で施工した後、クライミング構台を基部の上に組み付け、クライミング構台の両端部のマストを継ぎ足していない最小状態のタワークレーンで資材の搬入を行い、コンクリートの打設を行い、１ロットの施工が完了するとクライミング構台を１ロット分上昇させ、以上の工程を順次繰り返すことにより、２本の柱部を施工する。
【００１１】
柱部の結合部の手前で２本の柱部の施工が終了すると、総足場工法で結合部を施工し、続いてクライミング構台の両端部のクレーンを単位マストを継ぎ足すことで上方に伸長させつつ総足場工法で頂部を施工する。この総足場工法では、クライミング構台を撤去し、代わりにブラケットをタワークレーンのベースとしてもよい。さらに、総足場工法に限らず、クライミング構台と型枠をそのまま利用して結合部および頂部の施工を行うこともできる。
【００１２】
本発明の施工方法によれば、逆Ｙ字型の塔状構造物の施工に際し、塔の中間部の施工ではクライミング構台にタワークレーンを最小状態で載せてクライミングフォーム工法を実施するため、タワークレーンのステーを無くすことができ、塔上部に総足場工法を用いた場合には、塔の頂部の施工においてステーの長さを短くすることができ、主塔構築に伴う設備費の低減を図れる。また、押し上げビーム等の押し上げ部材と押し上げジャッキ等の押し上げ装置などからなる押し上げ式クライミング装置をクライミング構台の下面に設け、上部に型枠と足場を横移動可能に設けているため、スライド作業を容易かつ迅速に行うことができる。
【００１３】
【発明の実施の形態】
以下、本発明を図示する一実施形態に基づいて説明する。この実施形態は、斜張橋の逆Ｙ字型の主塔に適用した例である。図１、図２、図３は、本発明の施工方法の主塔中間部の開始状態を示す正面図、平面図、側面図である。図４は、主塔中間部の開始状態から終了状態までを示す正面図である。図５は、主塔結合部から主塔頂部までの施工状態を示す正面図である。
【００１４】
図１に示すように、逆Ｙ字型の主塔１は、主桁を挟んで左右一対の主塔基部２，２と、この主塔基部２，２から互いに接近するように傾斜して立設される２本の柱部３ａ，３ａからなる主塔中央部３と、２本の柱部３ａ，３ａが合体する主塔結合部４と、この主塔結合部４から上方に突出する主塔頂部５から構成され、本発明では、概略、クライミング構台１０とその両端部のタワークレーン１１を使用して２本の柱部３ａ，３ａを施工し（クライミングフォーム施工範囲Ａ：図１，図４参照）、２本の柱部の合体後は、タワークレーン１１を伸長させて主塔頂部５を施工する（上部施工範囲：図５参照）。
【００１５】
図１〜図３に示すように、クライミング構台１０は、左右一対の主塔基部２，２を取り囲むことができる大きさの平面視で長方形のトラス桁１２と、押し上げ式クライミング装置１３などからなる。押し上げ式クライミング装置１３は、例えば押し上げビーム１３ａと押し上げジャッキ１３ｂなどからなり、既設の主塔基部や柱部の外側面に反力をとってトラス桁１２を上昇させる。なお、押し上げビーム１３ａと押し上げジャッキ１３ｂは横押しジャッキ等で主塔幅方向に横移動可能にトラス桁１２の下面に取付けられており、柱部３ａの傾斜に対応できるようにされている。
【００１６】
トラス桁１２の両端部における上面には、型枠２０と足場２１が設置され、クライミング構台１０と共に型枠２０が１ロット分順次上昇し、２本の柱部３ａ，３ａが１ロット分順次施工される。これら型枠２０と足場２１は、例えば台車に載せられ、横押しジャッキ等により主塔幅方向に横移動可能とされ、柱部３ａの傾斜に対応できるようにされている。
【００１７】
タワークレーン１１は、トラス桁１２の両端部における型枠２０・足場２１の外側に設置され、型枠２０に先行する鉄筋などの資材の搬入を行う。このタワークレーン１１は、マストを継ぎ足していない最小の状態で据え付け、図４に示すように、クライミング構台１０と共に上昇し、クレーン作業を行う。また、タワークレーン１１は、傾斜する柱部３ａに対応させて主塔側に移動させて固定する。
【００１８】
図５に示すように、クライミング構台１０が主塔結合部４の手前まで上昇すると、トラス桁１２上に足場を組み、総足場工法で主塔結合部４を施工する。続いて、タワークレーン１１の下部に単位マストを継ぎ足し、マスト１１ａを上方に伸長させながら足場を組上げ、総足場工法で主塔頂部５を施工する。
【００１９】
なお、この主塔結合部４と主塔頂部５の施工では、クライミング構台１０を撤去し、代わりにブラケット（図示省略）を柱部の上部外面に設置し、タワークレーン１１のベースとすることもできる。
【００２０】
また、クライミング構台１０と型枠２０と足場２１をそのまま利用し、主塔結合部４と主塔頂部５を施工することも可能である。
【００２１】
なお、以上は斜張橋の逆Ｙ字型の主塔の施工に適用した場合を例示したが、これに限らず、その他の逆Ｙ字型の塔状構造物の施工にも本発明を適用できる。
【００２２】
【発明の効果】
(1) 本発明の施工方法によれば、逆Ｙ字型の塔状構造物の施工に際し、塔の中間部の施工ではクライミング構台にタワークレーンを最小状態で載せてクライミングフォーム工法を実施するため、タワークレーンのステーを無くすことができ、塔上部に総足場工法を用いた場合には、塔の頂部の施工においてステーの長さを短くすることができ、主塔構築に伴う設備費の低減を図れる。
(2) 押し上げビーム等の押し上げ部材と押し上げジャッキ等の押し上げ装置などからなる押し上げ式クライミング装置をクライミング構台の下面に設け、上部に型枠と足場を横移動可能に設けることにより、スライド作業を容易かつ迅速に行うことができ、施工時間の短縮と施工コストの低減を図れる。
【図面の簡単な説明】
【図１】本発明の施工方法の主塔中間部の開始状態を示す正面図である。
【図２】図１の平面図である。
【図３】図１の側面図である。
【図４】本発明の施工方法の主塔中間部の開始状態から終了状態までを示す正面図である。
【図５】本発明の施工方法の主塔結合部から主塔頂部までの施工状態を示す正面図である。
【図６】従来の斜張橋の逆Ｙ字型の主塔を施工する方法を示す正面図である。
【符号の説明】
１……逆Ｙ字型の主塔
２……主塔基部
３……主塔中央部
３ａ…柱部
４……主塔結合部
５……主塔頂部
１０……クライミング構台
１１……タワークレーン
１２……トラス桁
１３……押し上げ式クライミング装置
１３ａ…押し上げビーム
１３ｂ…押し上げジャッキ
２０……型枠
２１……足場
【図１】
0003952843.tif 000002
【図２】
0003952843.tif 000003
【図３】
0003952843.tif 000004
【図４】
0003952843.tif 000005
【図５】
0003952843.tif 000006
【図６】
0003952843.tif 000007